【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
契約上のプロジェクト実施データのユーザー入力に基づいて、プロジェクト管理スケジュールを管理するコンピュータにより実行される方法であって、
プロジェクトに関連したスケジューリングデータを受信する工程と、
プロジェクトを構成する一つ以上のプロジェクト重要管理点の各々に対してプロジェクト管理スケジュールを生成する工程を含めて、前記受信したスケジューリングデータに基づいて第一のプロジェクト管理スケジュールを生成する工程と、
所定のプロジェクト重要管理点に対する契約上の終了日を受信する工程と、
前記所定のプロジェクト重要管理点に対する生成されたプロジェクト管理スケジュールが前記所定のプロジェクト重要管理点に対する契約上の終了日より遅延してずれ込む場合に、前記所定のプロジェクト重要管理点に対する契約上の終了日の最後から前記プロジェクト管理スケジュールを再開する工程と、
前記所定のプロジェクト重要管理点に対する契約上の終了日に基づいて、スケジューリングエンジンを用いて、前記所定のプロジェクト重要管理点の後で実施されるいずれかのプロジェクト重要管理点に対する改訂されたプロジェクト管理スケジュールを自動的に生成する工程を含むことを特徴とする方法。
【請求項２】
請求項１に記載された方法であって、表示、計画及び危険分析のために、前記第一のプロジェクト管理スケジュールと、前記改訂されたプロジェクト管理スケジュールを記憶する工程をさらに含むことを特徴とする方法。
【請求項３】
請求項１に記載された方法であって、前記改訂されたプロジェクト管理スケジュールを表示する工程をさらに含むことを特徴とする方法。
【請求項４】
請求項３に記載された方法であって、前記改訂されたプロジェクト管理スケジュールを表示する工程が、前記受信したスケジューリングデータに基づいて、契約上の終了日の終了前に前記改訂されたプロジェクト管理スケジュールの第一の部分を表示する工程と、前記所定のプロジェクト重要管理点の契約上の終了日に基づいて、契約上の終了日の終了後に前記改訂されたプロジェクト管理スケジュールの第二の部分を表示する工程を含むことを特徴とする方法。
【請求項５】
請求項４に記載された方法であって、契約上の終了日に関わらず、前記受信したスケジューリングデータに基づいて、改訂されていないプロジェクト管理スケジュールを表示する工程をさらに含むことを特徴とする方法。
【請求項６】
請求項３に記載された方法であって、前記所定のプロジェクト重要管理点に対して契約上の終了日が合致しない場合には、発生するプロジェクト管理スケジュールの遅延の第二の部分の兆候を表示する工程をさらに含むことを特徴とする方法。
【請求項７】
請求項６に記載された方法であって、前記所定のプロジェクト重要管理点に対して契約上の終了日が合致しない場合に発生するプロジェクト管理スケジュールの遅延の第二の部分の兆候を表示する工程の前に、さらに、
前記プロジェクトを構成するいずれかの重要管理点の実施の遅延に関連したスケジューリングを含めて、受信したスケジューリングデータに基づいて、前記第一のプロジェクト管理スケジュールに追従する工程と、
受信したスケジューリングデータと、契約上の終了日が対応するプロジェクト重要管理点に対する予定された終了日よりも早い場合に、前記プロジェクトを構成するプロジェクト重要管理点に対して受信した契約上の終了日に基づいて、前記改訂されたプロジェクト管理スケジュールに追従する工程を含むことを特徴とする方法。
【請求項８】
契約上のプロジェクト重要管理点開始及び／または終了日のユーザー入力に基づいて、自動化されたプロジェクト管理スケジューリングを管理するコンピュータにより実行される方法であって、
プロジェクト用のスケジューリングデータを、所定のプロジェクトに対するプロジェクト管理スケジュールを計算し、表示するために、プロジェクト管理システムスケジューリングエンジンへ提供する工程と、
契約上の終了日を前記プロジェクトの所定のプロジェクト重要管理点に対するスケジューリングエンジンへ提供する工程と、
前記プロジェクトに対するスケジューリングデータに基づき、また前記所定のプロジェクトに対する実施データに基づいて、前記所定のプロジェクトに対する契約上の終了日が前記所定のプロジェクトに対して計算された終了日よりも早いかどうかを判定する工程と、
契約上の終了日が前記計算された終了日よりも早い場合には、前記スケジューリングエンジンに、いずれかのプロジェクトの重要管理点と前記所定のプロジェクト後に実施される関連したプロジェクト作業に対する契約上の終了日に前記プロジェクト管理スケジュールを再開させる工程を含むことを特徴とする方法。
【請求項９】
請求項８に記載された方法であって、前記スケジューリングエンジンへ提供されたスケジューリングデータは、プロジェクト重要管理点に対して予定された開始及び終了日と、前記プロジェクト重要管理点を構成する個別の作業と、スケジューリング相互関係と、前記プロジェクトを構成するプロジェクト作業に対応した資源制約事項を含むことを特徴とする方法。
【請求項１０】
請求項９に記載された方法であって、前記スケジューリングエンジンに、いずれかのプロジェクトの重要管理点と、前記所定のプロジェクト後に実施される関連したプロジェクト作業に対する契約上の終了日にプロジェクト管理スケジュールを再開させる工程の前に、前記スケジューリングエンジンに計算された終了日を無視させて、契約上の終了日にプロジェクト管理スケジュールを再開させる工程をさらに含むことを特徴とする方法。
【請求項１１】
請求項１０に記載された方法であって、
前記計算された終了日に対応したプロジェクト遅延を示す契約上の終了日に関わらず、前記計算された終了日に基づいて、第一のプロジェクト管理スケジュールに追従する工程と、
プロジェクト重要管理点と、前記所定のプロジェクト後に実施される関連したプロジェクト作業に対する契約上の終了日でのプロジェクト管理スケジュールの再開に基づいて、第二のプロジェクト管理スケジュールに追従する工程を含むことを特徴とする方法。
【請求項１２】
請求項１１に記載された方法であって、さらに、前記第二のプロジェクト管理スケジュールを示す組合せプロジェクト管理スケジュールを生成する工程と、前記契約上の終了日に合致しない場合には、プロジェクト遅延の影響を前記組合せプロジェクト管理スケジュールのユーザーに警告するために、プロジェクトの遅延に対応した前記第一のプロジェクト管理スケジュールの属性を表示する工程を含むことを特徴とする方法。
【請求項１３】
コンピュータによって実行される場合には、契約上のプロジェクト実施データのユーザー入力に基づいて、プロジェクト管理スケジュールを管理する方法を実施するコンピュータ実行可能な指示を含んだコンピュータ可読媒体であって、前記指示は、
プロジェクトに関連したスケジューリングデータを受信する工程と、
前記プロジェクトを構成する一つ以上のプロジェクト重要管理点の各々に対してプロジェクト管理スケジュールを生成する工程を含めて、前記受信したスケジューリングデータに基づいて第一のプロジェクト管理スケジュールを生成する工程と、
所定のプロジェクト重要管理点に対する契約上の終了日を受信する工程と、
前記所定のプロジェクト重要管理点に対する生成されたプロジェクト管理スケジュールが前記所定のプロジェクト重要管理点に対する契約上の終了日より遅延してずれ込む場合に、所定のプロジェクト重要管理点に対する契約上の終了日の最後から前記プロジェクト管理スケジュールを再開する工程と、
前記所定のプロジェクト重要管理点に対する契約上の終了日に基づいて、スケジューリングエンジンを用いて、前記所定のプロジェクト重要管理点の後で実施されるいずれかのプロジェクト重要管理点に対する改訂されたプロジェクト管理スケジュールを自動的に生成する工程を含むことを特徴とするコンピュータ可読媒体。
【請求項１４】
請求項１３に記載された方法であって、表示、計画及び危険分析のために、前記第一のプロジェクト管理スケジュールと、前記改訂されたプロジェクト管理スケジュールを記憶する工程をさらに含むことを特徴とする方法。
【請求項１５】
請求項１３に記載された方法であって、前記改訂されたプロジェクト管理スケジュールを表示する工程をさらに含むことを特徴とする方法。
【請求項１６】
請求項１５に記載された方法であって、前記改訂されたプロジェクト管理スケジュールを表示する工程が、前記受信したスケジューリングデータに基づいて、契約上の終了日の終了前に前記改訂されたプロジェクト管理スケジュールの第一の部分を表示する工程と、前記所定のプロジェクト重要管理点の契約上の終了日に基づいて、契約上の終了日の終了後に前記改訂されたプロジェクト管理スケジュールの第二の部分を表示する工程を含むことを特徴とする方法。
【請求項１７】
請求項１６に記載された方法であって、契約上の終了日に関わらず、前記受信したスケジューリングデータに基づいて、改訂されていないプロジェクト管理スケジュールを表示する工程をさらに含むことを特徴とする方法。
【請求項１８】
請求項１５に記載された方法であって、前記所定のプロジェクト重要管理点に対して契約上の終了日が合致しない場合には、発生するプロジェクト管理スケジュールの遅延の第二の部分の兆候を表示する工程をさらに含むことを特徴とする方法。
【請求項１９】
請求項１８に記載された方法であって、前記所定のプロジェクト重要管理点に対して契約上の終了日が合致しない場合に発生する前記プロジェクト管理スケジュールの遅延の第二の部分の兆候を表示する工程の前に、さらに、
前記プロジェクトを構成するいずれかの重要管理点の実施の遅延に関連したスケジューリングを含めて、受信したスケジューリングデータに基づいて、前記第一のプロジェクト管理スケジュールに追従する工程と、
受信したスケジューリングデータと、契約上の終了日が対応するプロジェクト重要管理点に対する予定された終了日よりも早い場合に、前記プロジェクトを構成するプロジェクト重要管理点に対して受信した契約上の終了日に基づいて、前記改訂されたプロジェクト管理スケジュールに追従する工程を含むことを特徴とする方法。
【請求項２０】
コンピュータによって実行される場合には、契約上のプロジェクト重要管理点開始及び／または終了日のユーザー入力に基づいて、自動化されたプロジェクト管理スケジューリングを管理する方法を実施するコンピュータ実行可能な指示を含んだコンピュータ可読媒体であって、前記指示は、
プロジェクト用のスケジューリングデータを、所定のプロジェクトに対するプロジェクト管理スケジュールを計算し、表示するために、プロジェクト管理システムスケジューリングエンジンへ提供する工程と、
契約上の終了日を前記プロジェクトの所定のプロジェクト重要管理点に対する前記スケジューリングエンジンへ提供する工程と、
前記プロジェクトに対するスケジューリングデータに基づき、また前記所定のプロジェクトに対する実施データに基づいて、前記所定のプロジェクトに対する契約上の終了日が所定のプロジェクトに対して計算された終了日よりも早いかどうかを判定する工程と、
契約上の終了日が計算された終了日よりも早い場合には、前記スケジューリングエンジンに、いずれかのプロジェクトの重要管理点と前記所定のプロジェクト後に実施される関連したプロジェクト作業に対する契約上の終了日に前記プロジェクト管理スケジュールを再開させる工程を含むことを特徴とするコンピュータ可読媒体。
【請求項２１】
請求項２０に記載されたコンピュータ可読媒体であって、前記スケジューリングエンジンへ提供されたスケジューリングデータは、プロジェクト重要管理点に対して予定された開始及び終了日と、プロジェクト重要管理点を構成する個別の作業と、スケジューリング相互関係と、前記プロジェクトを構成するプロジェクト作業に対応した資源制約事項を含むことを特徴とするコンピュータ可読媒体。
【請求項２２】
請求項２１に記載されたコンピュータ可読媒体であって、前記スケジューリングエンジンに、いずれかのプロジェクトの重要管理点と前記所定のプロジェクト後に実施される関連したプロジェクト作業に対する契約上の終了日にプロジェクト管理スケジュールを再開させる工程の前に、さらに、前記スケジューリングエンジンに計算された終了日を契約上の終了日と交換させる工程を含むことを特徴とするコンピュータ可読媒体。
【請求項２３】
請求項２２に記載されたコンピュータ可読媒体であって、
前記計算された終了日に対応したプロジェクト遅延を示す契約上の終了日に関わらず、前記計算された終了日に基づいて、第一のプロジェクト管理スケジュールに追従する工程と、
プロジェクト重要管理点と、前記所定のプロジェクト後に実施される関連したプロジェクト作業に対する契約上の終了日での前記プロジェクト管理スケジュールの再開に基づいて、第二のプロジェクト管理スケジュールに追従する工程を含むことを特徴とするコンピュータ可読媒体。
【請求項２４】
請求項２３に記載されたコンピュータ可読媒体であって、前記第二のプロジェクト管理スケジュールを示す組合せプロジェクト管理スケジュールを生成する工程と、契約上の終了日に合致しない場合には、プロジェクト遅延の影響を前記組合せプロジェクト管理スケジュールのユーザーに警告するために、プロジェクトの遅延に対応した前記第一のプロジェクト管理スケジュールの属性を表示する工程をさらに含むことを特徴とするコンピュータ可読媒体。
【請求項２５】
請求項２３に記載されたコンピュータ可読媒体であって、表示、計画及び危険分析のために、前記第一のプロジェクト管理スケジュールと、前記第２のプロジェクト管理スケジュールを記憶する工程をさらに含むことを特徴とするコンピュータ可読媒体。
【請求項２６】
契約上のプロジェクト実施データのユーザー入力に基づいて、プロジェクト管理スケジュールを管理するコンピュータにより実行される方法であって、
プロジェクトに関連したスケジューリングデータを受信する工程と、
前記プロジェクトを構成する一つ以上のプロジェクト重要管理点の各々に対してプロジェクト管理スケジュールを生成する工程を含めて、前記受信したスケジューリングデータに基づいて第一のプロジェクト管理スケジュールを生成する工程と、
所定のプロジェクト重要管理点に対する契約上の開始日を受信する工程と、
前記所定のプロジェクト重要管理点に対する生成されたプロジェクト管理スケジュールが前記所定のプロジェクト重要管理点に対する契約上の開始日より前に開始する場合に、前記所定のプロジェクト重要管理点に対する契約上の開始日の最初から前記プロジェクト管理スケジュールを再開する工程と、
前記所定のプロジェクト重要管理点に対する契約上の開始日に基づいて、スケジューリングエンジンを用いて、前記所定のプロジェクト重要管理点の前に実施されるいずれかのプロジェクト重要管理点に対する改訂されたプロジェクト管理スケジュールを自動的に生成する工程を含むことを特徴とする方法。
【請求項２７】
請求項２６に記載された方法であって、表示、計画及び危険分析のために、前記第一のプロジェクト管理スケジュールと、前記改訂されたプロジェクト管理スケジュールを記憶する工程をさらに含むことを特徴とする方法。
【請求項２８】
請求項２６に記載された方法であって、前記改訂されたプロジェクト管理スケジュールを表示する工程をさらに含むことを特徴とする方法。
【請求項２９】
請求項２８に記載された方法であって、前記改訂されたプロジェクト管理スケジュールを表示する工程が、前記受信したスケジューリングデータに基づいて、計算された開始日に対応する前記改訂されたプロジェクト管理スケジュールの第一の部分を表示する工程と、前記所定のプロジェクト重要管理点の契約上の開始日に対応する前記プロジェクト管理スケジュールの第二の部分を表示する工程を含むことを特徴とする方法。
【請求項３０】
請求項２７に記載された方法であって、表示、計画及び危険分析のために、前記第一のプロジェクト管理スケジュールと、前記改訂されたプロジェクト管理スケジュールを記憶する工程の前に、さらに、
前記プロジェクトを構成するいずれかの重要管理点の実施の遅延に関連したスケジューリングを含めて、前記受信したスケジューリングデータに基づいて、前記第一のプロジェクト管理スケジュールに追従する工程と、
前記受信したスケジューリングデータと、契約上の終了日が対応するプロジェクト重要管理点に対する予定された終了日よりも早い場合に、前記プロジェクトを構成するプロジェクト重要管理点に対して受信した契約上の終了日に基づいて、前記改訂されたプロジェクト管理スケジュールに追従する工程を含むことを特徴とする方法。